【事件の表示】
　特願２００９−５２９１１７「ドメイン情報を設定するための装置及び方法」拒絶査定不服審判事件〔平成２０年　３月２７日国際公開、ＷＯ２００８／０３５９１４、平成２２年　２月１２日国内公表、特表２０１０−５０４５８６〕について、次のとおり審決する。
【結　論】
　本件審判の請求は、成り立たない。
【理　由】
１．手続の経緯
　本願は、２００７年９月１９日（パリ条約による優先権主張２００６年９月２１日、米国、２００７年１月１８日、韓国）を国際出願日とする出願であって、平成２３年４月２２日付けで拒絶理由が通知され、これに対し、平成２３年７月２６日付けで手続補正がなされたが、平成２３年１１月２２日付けで拒絶査定がなされ、これに対し、平成２４年３月２９日に拒絶査定不服の審判が請求されたものである。
　
２．本願発明
　本願の請求項１〜１７に係る発明は、平成２３年７月２６日付け手続補正書により補正された特許請求の範囲に記載された事項により特定されるとおりのものであるところ、その請求項１に係る発明（以下、「本願発明」という。）は、次のとおりのものである。
「【請求項１】
　ドメイン管理サーバにより管理されたドメインに参加している、ドメイン情報を設定させる装置であって、
　ドメイン情報を保存する保存モジュールと、
　ドメインに新たに参加しようとするデバイスと接続するデバイス接続モジュールと、
　前記保存モジュールに保存されているドメイン情報を抽出して、抽出したドメイン情報を前記デバイス接続モジュールを通じて、前記接続されたデバイスに提供するようにする制御モジュールと、を含み、
　前記ドメイン情報は、それを用いて前記デバイスが前記ドメインのドメイン環境を設定すると、追加的にユーザ入力なしで、前記ドメイン管理サーバとの通信を要さずに前記ドメイン管理サーバが管理するドメインに参加している装置とのコンテンツ共有を可能とするものである、
ドメイン情報を設定させる装置。」
　
３．引用例
　これに対し、原査定の拒絶の理由に引用された、本願の優先日前に頒布された刊行物である、米国特許出願公開第２００４／０１０３３１２号明細書（以下、「引用例１」という。）には、図面とともに、次の技術事項が記載されている。
（ア）「[0001] The present invention relates generally to digital-rights management and in particular, to a method and apparatus for performing domain-based digital-rights management with easy and secure device enrollment.」（第１頁左欄第[0001]段落）（当審訳：[0001] 本発明は、一般に、デジタル著作権管理、特に、容易で安全なデバイス登録を備えたドメイン・ベースのデジタル著作権管理を行なう方法と装置に関連しています。
　
（イ）「[0003] One method of DRM protection allows content sharing among a domain of devices. Such a domain of devices, may for example share the same payment method/account information (e.g., share the same credit card number, account number, . . . , etc.), as well as sharing access to digital works. For example, a user may pay to access a certain digital work (e.g., a movie) a single time. Since all devices that are part of a domain share account information, any device may access the digital work. However, after any device accesses the work, all other devices will be prevented from accessing the work. Similarly, a user may choose to pay each time a digital work is accessed. Accessing the digital work by any device within the domain will cause the user's account to be charged accordingly. 
[0004] While such a DRM system enables a user-friendly method for content sharing, such a system presents two problems. The first problem is that a user faces the potentially cumbersome task of registering all of his devices into a domain. The second problem is that the security of content in a domain is potentially threatened if users can remotely register devices into a domain over a long distance. Therefore a need exists for domain-based digital-rights management with easy and secure device enrollment that increases the security of content.」（第１頁左欄第[0003]〜[0004]段落）（当審訳：[0003]DRM保護の１つの方法は、デバイスのドメインの中でのコンテンツの共有を許可します。デバイスのそのようなドメインは、デジタル作品へのアクセスを共有するのに加え、例えば、同じ支払い方法／アカウント情報も共有する（例えば、同じクレジットカード番号やアカウント番号の共有など）かも知れません。例えば、ユーザは、あるデジタル作品（例えば映画）へのアクセスに、一回、支払いをするかもしれません。ドメインの一部であるすべてのデバイスは、アカウント情報を共有するので、どんなデバイスも、そのデジタル作品にアクセスしてよい。しかしながら、あるデバイスがその作品にアクセスした後は、他のすべてのデバイスはその作品へのアクセスを妨げられるでしょう。同様に、ユーザは、デジタル作品がアクセスされるごとに支払いをすることを選んでもよい。ドメイン内の任意のデバイスがデジタル作品にアクセスすると、ユーザのアカウントは、それに従って課金されるでしょう。
[0004]そのようなDRMシステムは、コンテンツ共有のためのユーザ・フレンドリーな方法を可能にする一方で、そのようなシステムは２つの問題を提起します。第１の問題は、ユーザが、ドメインの中へ彼のデバイスをすべて登録する潜在的に厄介な仕事に直面するということです。第２の問題は、ユーザが長距離からドメインへデバイスを遠隔登録することができれば、ドメイン内のコンテンツのセキュリティが潜在的に脅かされるということです。したがって、コンテンツのセキュリティを増加させる、容易で安全なデバイス登録を備えたドメイン・ベースのデジタル著作権管理のための必要が存在します。
　
（ウ）「[0009] To address the above-mentioned need, a method and apparatus for performing domain-based digital-rights management with easy and secure device enrollment is provided herein. In accordance with the preferred embodiment of the present invention new devices are added to an existing domain by obtaining domain information (e.g., domain name and private domain password) from devices already in the domain that preferably are in close proximity. Once the domain information has been transferred from the device already in the domain to the device being added to the domain, the device being added to the domain contacts a key issuer to complete its registration into the domain. The key issuer returns the DRM domain private key as well as a DRM certificate. Both are utilized by the device to obtain and render digital content.」（第１頁右欄[0009]段落）（当審訳：[0009]上述の必要を解決するため、容易で安全なデバイス登録を備えたドメイン・ベースのデジタル著作権管理を実行する方法および装置が、ここに提供されます。本発明の好ましい実施例に従って、新しいデバイスは、既にドメイン内にあり、好ましくは近接しているデバイスからドメイン情報（例えばドメイン名および秘密のドメイン・パスワード）を得ることにより、既存のドメインに加えられます。一旦ドメイン情報が、既にドメイン内にあるデバイスから、ドメインに加えられるデバイスまで転送されたならば、そのドメインに加えられるデバイスは、ドメインへの登録を完了するために、鍵の発行人と連絡をとります。鍵の発行人は、DRM証明書に加えてDRMドメイン秘密鍵も返します。その両方は、デバイスによってデジタル・コンテンツを得てレンダリングするために利用されます。」
　
（エ）「[0018] Turning now to the drawings, wherein like numerals designate like components, FIG. 1 is a block diagram of DRM system 100 in accordance with the preferred embodiment of the present invention. As shown, DRM system 100 comprises user equipment 101 , key issuer 105 , rights issuer 105, and network 107. User equipment 101 comprises those devices such as computers, cellular telephones, personal digital assistants, . . . , etc. that are capable of running an application that renders digital content. For example, user equipment 101 may be a personal computer equipped with an application to “play” an MPEG Audio Layer 3 (MP3) file, with an application such as a standard MP3 player. Similarly, user equipment 101 may comprise a cellular telephone equipped to play an MPEG Video Layer 4 file with a standard MPEG video codec. Other possible embodiments for user equipment 101 include, but are not limited to, set-top boxes, car radios, networked MP3 players, Personal Digital Assistants, . . . , etc. Other possible embodiments for digital content include, but are not limited to music, games, video, pictures, books, maps, software, . . . , etc.
[0019] Regardless of the form that user equipment 101 takes, user equipment 101 is configured so that short-range communication between various user devices 101 can take place. In the preferred embodiment of the present invention short-range communication can utilize any physical connection (e.g., a cable, docking connector, etc.) or a number of over-the-air communication system protocols such as, but not limited to Bluetooth, 802.11, 802.15, infrared, . . . , etc. As shown in FIG. 1, short-range communication takes place over short-range communication link 108.」（第２頁左欄第[0018] 〜[0019]段落）（当審訳：[0018]今、図に注目すると、数字の類がコンポーネントの類を指定していますが、図１は本発明の好ましい実施例に従ったDRMシステム100のブロックダイヤグラムです。図示されているように、DRMシステム100は、ユーザ機器101、鍵の発行人105、権利発行人105およびネットワーク107を含みます。ユーザ機器101は、コンピューター、携帯電話、携帯情報端末などのようなデバイスを含み、それらはデジタル・コンテンツをレンダリングするアプリケーションを起動することができます。例えば、ユーザ機器101は、MPEGオーディオレイヤー３（MP3）ファイルを「再生」するアプリケーションを装備し、標準のMP3プレーヤーのようなアプリケーションを備えたパソコンかもしれません。同様に、ユーザ機器101は、MPEGビデオ・レイヤー４ファイルを再生するために標準のMPEGのビデオ・コーデックを装備した携帯電話を含むかもしれません。ユーザ機器101の他の可能な実施例は、セットトップ・ボックス、カーラジオ、ネットワーク化されたMP3プレーヤー、携帯情報端末等を含んでいますが、これらに制限されません。デジタル・コンテンツの他の可能な実施例は、音楽、ゲーム、ビデオ、画像、本、地図、ソフトウェアを含んでいますが、これらに制限されません。
[0019]ユーザ機器101が取る形態にかかわらず、様々なユーザデバイス101間で射程の短い通信が行われることが可能であるように、ユーザ機器101が形成されます。本発明の好ましい実施例では、射程の短いコミュニケーションはどんな物理的接続（例えば、ケーブル、ドッキング・コネクタなど）、あるいは、Bluetooth、802.11、802.15、赤外線などのような、しかし、これらに制限されない多数の無線通信システムプロトコルも利用することができます。図1に示されるように、射程の短いコミュニケーションは射程の短い通信リンク108上で起こります。」
　
（オ）「[0030] FIG. 2 is a block diagram of user equipment 101 of FIG. 1 in accordance with the preferred embodiment of the present invention. As shown, user equipment 101 comprises storage 211 for storing DRM certificate 202, application 203, digital content 204, rights object 205, DRM private key 206, unit certificate 207, unit private key 208, and domain information 209. As known in the art, storage 211 may comprise any number of storage means, including, but not limited to hard disk storage, random-access memory (RAM), and smart card storage (e.g., Wireless Identity Module used in cellular telephones), . . . , etc.  User equipment 101 additionally includes logic circuitry 210, which in the preferred embodiment of the present invention comprises a microprocessor controller such as but not limited to a Motorola MC68328 DragonBall integrated microprocessor or a TI OMAP1510 processor. Finally, user equipment 101 comprises short-range communication unit 213.」（第３頁右欄第[0030]段落）（当審訳：[0030]図2は、本発明の好ましい実施例に従った図１のユーザ機器101のブロックダイヤグラムです。図示されているように、ユーザ機器101は、DRM証明書202、アプリケーション203、デジタル・コンテンツ204、権利オブジェクト205、DRM秘密鍵206、ユニット証明書207、ユニット秘密鍵208およびドメイン情報209を格納するための記憶装置211を含みます。当該技術分野で知られているように、記憶装置211は、ハードディスク記憶装置、ランダム−アクセス・メモリー（RAM）、およびスマート・カード記憶装置（例えば、携帯電話の中で使用される、無線自己識別モジュール）等を含め（しかし、これらに制限されない）、どんな数の記憶手段であってもよい。ユーザ機器101はさらにロジック回路210を含んでいますが、本発明の好ましい実施例では、それは、モトローラMC68328　DragonBall統合プロセッサ、またはTI OMAP1510プロセッサのようなマイクロプロセッサー・コントローラーを含みますが、これらに制限されません。最後に、ユーザ機器101は射程の短いコミュニケーション・ユニット213を含みます。」
　
（カ）「[0031] FIG. 3 is a flow chart showing operation of the digital-rights management system of FIG. 1 in accordance with the preferred embodiment of the present invention. The description that follows assumes that a first device is already registered with an existing domain. That is, it has domain information (e.g., domain name and private domain password) and has already obtained a DRM certificate that enables it to acquire rights to digital content from rights issuer 103 . 
[0032] The logic flow begins at step 301 where a user decides to enroll a second device into an existing DRM domain. At step 303 the user initiates the transfer of domain information 209 from the first device, which is already enrolled in the domain, to the second device. Although data may be transferred among devices in many ways (e.g., via floppy discs, via email, . . . , etc.), in the preferred embodiment of the present invention, domain information 209 will only be accepted by a device if it is transferred via a short-range communication link, however in alternate embodiments the transfer of domain information 209 can take place utilizing any method (short/long range) for transferring data between devices.
[0033] At step 305 the first and second devices establish a secure authenticated channel over a short-range communication link. This link may be authenticated by various means. For example authentication can be established by the fact that the user has physical control over each device (perhaps by pressing a button), or by entering a temporary PIN or password into each device. The security of the link is established using known protocols, such as the Wireless Transport Layer Security (WTLS) or Secure Sockets Layer (SSL). Once secure short-range link 108 is established, the first device communicates its domain information 209 to the second device at step 307. At step 309 , the second device uses the network link 107 (e.g., the cellular network or Internet) to contact key issuer 105. The second device follows the same protocol with key issuer 105 as the first device did when establishing the domain, as already described above.
[0034] At step 311, the second device communicates its unit certificate 207 to key issuer 105 and may use its unit private key 208 to respond to a challenge. Once the channel is established it sends the domain information 209 to key issuer 105. At step 313, the key issuer receives the domain information 209, validates it (e.g., determines if domain name and domain password are valid), and if valid, registers the second device into the same domain as the first device. Finally, at step 315, key issuer 105 completes the registration of the second device into the existing domain by using the secure network channel 107 to communicate the DRM private key 206 (utilized by every device within the domain) and a newly created DRM certificate 202 to the second device.
[0035] As discussed above, once a DRM certificate 202 has been obtained, rights object 205 to digital content 204 can now be obtained from rights issuer 103. This process begins with DRM certificate 202 being provided to rights issuer 103 along with a request for digital content. In response, user equipment 101 receives rights object 205 , which enables access to digital content 204. Both are stored in memory 211. In order to execute digital content 204 , user equipment 101 must access DRM private key 206 and uses it to decrypt the content encryption key from rights object 205. Content 204 is decrypted, and is rendered by application 203. Logic circuitry 210 controls these functions.」（第３頁右欄第[0031]段落〜第４頁左欄第[0035]段落）（当審訳：[0031]図３は、本発明の好ましい実施例に従って、図１のデジタル著作権管理システムの実行を示すフローチャートです。これに続く記述では、第１のデバイスが既存のドメインで既に登録されていると仮定します。すなわち、それはドメイン情報（例えば、ドメイン名および秘密のドメイン・パスワード）を持っており、デジタル・コンテンツに対する権利を権利発行人103から得ることを可能にする、DRM証明書を既に得ています。
[0032]ロジック・フローはステップ301で始まり、そこでは、ユーザが、既存のDRMドメインへ第２のデバイスを登録することを決定します。ステップ303では、ユーザは、ドメインに既に登録されている第１のデバイスから、第２のデバイスへ、ドメイン情報209の転送を始めます。データは多くの方法（例えば、フロッピーディスク経由、電子メール経由、など）でデバイス間を転送されるかもしれませんが、本発明の好ましい実施例では、ドメイン情報209は、射程の短い通信リンクによって転送された場合にのみ、デバイスによって受理されるでしょう。しかし、別の実施例では、ドメイン情報209の転送は、デバイス間でデータを転送するどんな方法（短い/長い範囲）を利用しても生じることができます。
[0033]ステップ305では、第１と第２のデバイスが、射程の短い通信リンク上で、安全な認証されたチャンネルを確立します。このリンクは様々な手段によって認証されるかもしれません。例えば、認証は、ユーザが各デバイスを物理的に管理しているという事実（恐らくボタンを押すことによって）により、あるいは各デバイスへ仮のPINまたはパスワードを入力することによって確立することができます。リンクのセキュリティは、ワイヤレス・トランスポート・レイヤ・セキュリティ（WTLS）又はセキュア・ソケット・レイヤ（SSL）のような既知のプロトコルを使用して確立されます。一旦、安全な射程の短いリンク108が確立されれば、第１のデバイスは、ステップ307で、第２のデバイスにそのドメイン情報209を伝えます。ステップ309では、第２のデバイスは、鍵の発行人105と連絡をとるために、ネットワーク・リンク107（例えばセルラー・ネットワークまたはインターネット）を使用します。既に述べたように、第２のデバイスは、第１のデバイスがドメインを設立するときに行ったのと同じ、鍵の発行人105とのプロトコルに従います。
[0034]ステップ311では、第２のデバイスは、鍵の発行人105にそのユニット証明書207を伝え、挑戦に応答するためにそのユニット秘密鍵208を使用してもよい。一旦、チャンネルが設立されれば、それは鍵の発行人105にドメイン情報209を送ります。ステップ313では、鍵の発行人はドメイン情報209を受け取り、それを確認し（例えば、ドメイン名およびドメイン・パスワードが有効かどうか判断する）、確認された場合、第２のデバイスを、第１のデバイスと同じドメインへ登録します。最後に、ステップ315では、鍵の発行人105は、安全なネットワーク・チャンネル107を使用して、DRM秘密鍵206（ドメイン内のすべてのデバイスによって利用される）と、新しく作成されたDRM証明書202とを第２のデバイスに伝えることにより、既存のドメインへの第２のデバイスの登録を完了します。
[0035]上述のとおり、一旦、DRM証明書202が得られたならば、デジタル・コンテンツ204に対する権利オブジェクト205は、今や、権利発行人103から得ることができます。このプロセスは、デジタル・コンテンツの要請と共に、権利発行人103にDRM証明書202が提供されることによって始まります。応答として、ユーザ機器101は権利オブジェクト205を受け取り、それは、デジタル・コンテンツ204へのアクセスを可能にします。両方はメモリ211に格納されます。デジタル・コンテンツ204を実行するために、ユーザ機器101はDRM秘密鍵206にアクセスしなければならず、そして、権利オブジェクト205からコンテンツ暗号鍵を解読するためにそれを使用します。コンテンツ204は解読され、アプリケーション203によってレンダリングされます。ロジック回路210はこれらの機能を制御します。）
　
（キ）「[0038] If all subsequent enrollments into the family of devices are forced to use short-range communication for enrollment, the newly added device are forced to be in direct physical control of the user, resulting in a more secure DRM system. Additionally, the use of key issuer 105 greatly improves security. For example, if a key issuer were not used then devices would need to share their DRM private keys and issue DRM certificates. Hackers would have an easier time breaching the security of such a system since they have physical access to their devices and can tamper with the hardware to try and create false DRM certificates. In the preferred embodiment of this invention, the key issuer is a trusted entity that is not physically accessible to the users to the DRM system. Hackers may attempt to breach the security of the key issuer, but since it cannot be physically attacked, security is improved.」（第４頁右欄第[0038]段落）（当審訳：[0038]これに続く、デバイスのファミリーの中への全ての登録が、射程の短いコミュニケーションの使用を強いられる場合、新しく追加されたデバイスは、ユーザの直接の物的管理にあることを強いられ、その結果、より安全なDRMシステムに帰着します。さらに、鍵の発行人105の使用は、セキュリティを非常に改善します。例えば、鍵の発行人が使用されないとしたならば、そのとき、デバイスはそれらのDRM秘密鍵を共有し、DRM証明書を発行する必要があるでしょう。ハッカーは、それらがデバイスに物理的にアクセスし、偽りのDRM証明書を作成しようと試みるためにハードウェアをいじくることができるので、そのようなシステムのセキュリティを侵害するのに容易な時を過ごすでしょう。本発明の好ましい実施例では、鍵の発行人は、DRMシステムにとってユーザが物理的にアクセスすることができない、信頼された実体です。ハッカーは、鍵の発行人のセキュリティを侵害することを試みるかも知れないが、しかし、物理的にそれを攻撃することができないので、セキュリティが改善されます。」
　
　上記引用例１記載事項及び図面の記載を総合勘案すると、引用例１には、次の発明（以下、「引用発明１」という。）が記載されているものと認められる。
「容易で安全なデバイス登録を備えたドメイン・ベースのデジタル著作権管理を実行する方法および装置に用いられるユーザ機器であって、
　DRMシステム100は、ユーザ機器101、鍵の発行人105、権利発行人105およびネットワーク107を含み、ユーザ機器101は、コンピューター、携帯電話、携帯情報端末などのようなデバイスを含み、それらはデジタル・コンテンツをレンダリングするアプリケーションを起動することができ、様々なユーザデバイス101間で射程の短い通信が行われることが可能であるように、ユーザ機器101が形成され、射程の短いコミュニケーションはどんな物理的接続（例えば、ケーブル、ドッキング・コネクタなど）、あるいは、Bluetooth、802.11、802.15、赤外線などのような、しかし、これらに制限されない多数の無線通信システムプロトコルも利用することができ、
　ユーザ機器101は、DRM証明書202、アプリケーション203、デジタル・コンテンツ204、権利オブジェクト205、DRM秘密鍵206、ユニット証明書207、ユニット秘密鍵208およびドメイン情報209を格納するための記憶装置211を含み、ユーザ機器101はさらにロジック回路210と、射程の短いコミュニケーション・ユニット213を含み、
　第１のデバイスが既存のドメインで既に登録されていると仮定すると、それはドメイン情報（例えば、ドメイン名および秘密のドメイン・パスワード）を持っており、デジタル・コンテンツに対する権利を権利発行人103から得ることを可能にする、DRM証明書を既に得ており、
　ユーザが、既存のDRMドメインへ別のデバイスを登録することを決定すると、第１と第２のデバイスが、射程の短い通信リンク上で、安全な認証されたチャンネルを確立し、一旦、安全な射程の短いリンク108が確立されれば、第１のデバイスは、第２のデバイスにそのドメイン情報209を伝え、
　第２のデバイスは、ドメインへの登録を完了するために、鍵の発行人と連絡をとり、鍵の発行人は、DRM証明書202に加えてDRM秘密鍵206も返し、その両方は、デバイスによってデジタル・コンテンツを得てレンダリングするために利用され、
　ロジック回路210はこれらの機能を制御する、
　ユーザ機器。」
　
４．対比
　そこで、本願発明と引用発明１とを比較する。
　なお、以下の対比において、引用発明１の「デバイス」と「ユーザ機器」とは同義のものとして扱っている。
　引用発明１の「鍵の発行人105」は、「デバイス」を「ドメイン」へ「登録」しているから、本願発明の「ドメイン管理サーバ」に相当する。
　次に、引用発明１の「既存のドメインで既に登録され」、「ドメイン情報（例えば、ドメイン名および秘密のドメイン・パスワード）を持って」いる「第１のデバイス」は、「第２のデバイスにそのドメイン情報209を伝え」るデバイスであるから、本願発明の「ドメイン管理サーバにより管理されたドメインに参加している」「ドメイン情報を設定させる装置」に相当する。
　次に、引用発明１の「ユーザ機器101」が含んでいる「ドメイン情報209を格納するための記憶装置211」が、本願発明の「ドメイン情報を保存する保存モジュール」に相当する。
　次に、引用発明１の「ユーザ機器101」が含んでいる「射程の短いコミュニケーション・ユニット213」は、「どんな物理的接続（例えば、ケーブル、ドッキング・コネクタなど）、あるいは、Bluetooth、802.11、802.15、赤外線などのような、しかし、これらに制限されない多数の無線通信システムプロトコルも利用することができ」るものであって、「一旦、安全な射程の短いリンク108が確立されれば、第１のデバイスは、第２のデバイスにそのドメイン情報209を伝え」るためのものであるから、本願発明の「ドメインに新たに参加しようとするデバイスと接続するデバイス接続モジュール」に相当する。
　次に、引用発明１の「ユーザ機器101」が含む「ロジック回路210」は、「第１と第２のデバイスが、射程の短い通信リンク上で、安全な認証されたチャンネルを確立し、一旦、安全な射程の短いリンク108が確立されれば、第１のデバイスは、第２のデバイスにそのドメイン情報209を伝え」る機能を「制御」しており、また、その「ドメイン情報209」が「第１のデバイス」の「ドメイン情報209を格納するための記憶装置211」から抽出されたものであることは明らかなことである。
　よって、引用発明１の「ユーザ機器101」が含む「ロジック回路210」が、本願発明の「前記保存モジュールに保存されているドメイン情報を抽出して、抽出したドメイン情報を前記デバイス接続モジュールを通じて、前記接続されたデバイスに提供するようにする制御モジュール」に相当する。
　次に、「ドメイン・ベースのデジタル著作権管理」において、「ドメイン名」及び「秘密のドメイン・パスワード」はドメイン環境に関する情報であるから、引用発明１において、該「ドメイン名」及び「秘密のドメイン・パスワード」を含む「ドメイン情報」を格納することが、本願発明の「前記ドメイン情報」を用いて「前記デバイスが前記ドメインのドメイン環境を設定する」ことに相当する。
　次に、平成２３年７月２６日付けの手続補正による請求項１の補正の根拠である、本願明細書第【００３２】段落（平成２３年７月２６日付け意見書、【意見の内容】、「Ｂ．補正について」参照。）に続いて、本願明細書第【００３４】段落第１文には「第３デバイス２３０にドメイン環境設定が完了すれば、第３デバイス２３０は第１デバイス２１０から受信したドメイン情報を用いてドメイン管理サーバ（図示せず）に接続して第３デバイス２３０を前記ドメイン管理サーバに登録することができる。」と記載されている。
　よって、ドメイン情報を提供されたデバイスが、ドメイン管理サーバに登録するためドメイン管理サーバに接続することは、本願発明でも格別排除されているわけではないから、引用発明１において「第２のデバイスは、ドメインへの登録を完了するために、鍵の発行人と連絡」をとることは、本願発明との相違点であるとはいえない。
　
　すると、本願発明と引用発明１とは、次の点で一致する。
（一致点）
「ドメイン管理サーバにより管理されたドメインに参加している、ドメイン情報を設定させる装置であって、
　ドメイン情報を保存する保存モジュールと、
　ドメインに新たに参加しようとするデバイスと接続するデバイス接続モジュールと、
　前記保存モジュールに保存されているドメイン情報を抽出して、抽出したドメイン情報を前記デバイス接続モジュールを通じて、前記接続されたデバイスに提供するようにする制御モジュールと、を含み、
　前記ドメイン情報を用いて前記デバイスが前記ドメインのドメイン環境を設定する、
　ドメイン情報を設定させる装置。」
　
　また、両者は次の点で相違する。
（相違点）
　本願発明では、「前記ドメイン情報は、それを用いて前記デバイスが前記ドメインのドメイン環境を設定すると、追加的にユーザ入力なしで、前記ドメイン管理サーバとの通信を要さずに前記ドメイン管理サーバが管理するドメインに参加している装置とのコンテンツ共有を可能とするものである」のに対し、引用発明１の「第２のデバイス」は、「ドメイン名」及び「秘密のドメイン・パスワード」を含む「ドメイン情報」を格納（「ドメイン情報」を用いて「前記デバイスが前記ドメインのドメイン環境を設定」）しているものの、その後、「鍵の発行人105」（ドメイン管理サーバ）と連絡をとり、「鍵の発行人105」から「DRM秘密鍵206（ドメイン内のすべてのデバイスによって利用される）」と、「新しく作成された、DRM証明書202」とを取得することで、「デバイスによってデジタル・コンテンツを得てレンダリングする」ことを可能にしている点。
　
５．判断
　そこで上記相違点について検討する。
　引用発明１の「ドメイン・ベースのデジタル著作権管理」とは、「デバイスのドメインの中でのコンテンツの共有を許可」（前記「３．引用例」摘記事項（イ）第１文）するデジタル著作権管理を意味するが、前記「３．引用例」摘記事項（キ）第２〜３文に「鍵の発行人105の使用は、セキュリティを非常に改善します。例えば、鍵の発行人が使用されないとしたならば、そのとき、デバイスはそれらのDRM秘密鍵を共有し、DRM証明書を発行する必要があるでしょう。」と記載されているように、デバイスを既存のドメインに加える際、鍵の発行人を使用せずにデバイス同士が「DRM秘密鍵（ドメイン内のすべてのデバイスによって利用される）」を共有し、「DRM証明書」を発行し、コンテンツの共有に十分な条件を整えることは、当業者が適宜なしうる程度のことである。
　よって、引用発明１において、「ドメイン情報」が、その「ドメイン情報」を用いて「ドメイン名」及び「秘密のドメイン・パスワード」を「第２のデバイス」に格納（「ドメイン情報」を用いて「前記デバイスが前記ドメインのドメイン環境を設定」）すると、「第２のデバイス」は、「鍵の発行人105」に連絡することなく（追加的にユーザ入力なしで、前記ドメイン管理サーバとの通信を要さずに）、「DRM秘密鍵（ドメイン内のすべてのデバイスによって利用される）」をドメイン内の他のデバイスと共有し、また、ドメイン内の他のデバイスから「DRM証明書」の発行を受けることで、「第２のデバイス」が、「鍵の発行人105」が登録したデバイスのドメインの中でのコンテンツの共有を許可される（前記ドメイン管理サーバが管理するドメインに参加している装置とのコンテンツ共有を可能とする）ようにすることは、必要とされるセキュリティの程度等を考慮し、当業者が格別困難無くなし得たことである。
　
　また、本願発明の作用効果も、引用発明１及び引用例１の記載事項より、当業者が予測し得たものである。
　
　従って、本願の請求項１に係る発明は、引用例１に記載された発明に基づいて当業者が容易に発明をすることができたものである。
　
６．むすび
　以上のとおり、本願の請求項１に係る発明は、特許法第２９条第２項の規定により特許を受けることができないものである。
　したがって、その余の請求項に係る発明について論及するまでもなく、本願は拒絶すべきものである。
　よって、結論のとおり審決する。